(57)【特許請求の範囲】
【請求項１】
燃料電池スタックのカソードに連結される空気通路が形成されたバルブボディー、及び前記空気通路の開閉のためにバルブボディーに回転可能に取り付けられたバルブフラップを含む燃料電池システム用空気バルブ装置であって、
前記バルブボディーにおいて空気通路の外側位置にバルブシャフトが回転可能に取り付けられ、前記バルブフラップはバルブシャフトの回転中心から一側に偏った位置に結合され、
前記バルブボディーは、
バルブフラップが回転可能に取り付けられ、外形をなすメインボディー；及び
前記バルブフラップの密閉時にバルブフラップと接触し、前記メインボディーに着脱可能に結合されるサブボディーを含んでなり、
前記メインボディーはアルミニウムダイキャスティングで製作され、前記サブボディーは、メインボディーより向上した粗度及び硬度の確保のために、ステンレススチールから製作されるかあるいはアルミニウムハードアノ−ダイジング（ａｎｏｄｉｚｉｎｇ）で後処理して製作されることを特徴とする、燃料電池システム用空気バルブ装置。
【請求項２】
前記サブボディーはメインボディーより向上した粗度を有することを特徴とする、請求項１に記載の燃料電池システム用空気バルブ装置。
【請求項３】
前記サブボディーはメインボディーより硬度が高いことを特徴とする、請求項１に記載の燃料電池システム用空気バルブ装置。
【請求項４】
前記空気通路は、入口側空気通路及び出口側空気通路を含んでなり、前記入口側空気通路及び出口側空気通路は単一バルブボディーに形成され、前記バルブフラップは入口側空気通路及び出口側空気通路をそれぞれ開閉させることができるように複数からなり、前記複数のバルブフラップは入口側空気通路及び出口側空気通路を同時に開閉させることを特徴とする、請求項１に記載の燃料電池システム用空気バルブ装置。
【請求項５】
前記メインボディーに取り付けられたバルブモーター；及び
前記バルブモーターとバルブシャフトを連結し、バルブモーターの動力をバルブシャフトに伝達するバルブギアをさらに含み、
前記バルブシャフトは、メインボディーに回転可能に取り付けられることを特徴とする、請求項１に記載の燃料電池システム用空気バルブ装置。
【請求項６】
前記バルブフラップは空気通路の一端を覆う形に密閉させることを特徴とする、請求項１に記載の燃料電池システム用空気バルブ装置。
【請求項７】
前記バルブフラップは、
バルブシャフトと結合されたバルブプレート；及び
前記バルブプレートをカバーするプレートカバーを含んでなることを特徴とする、請求項１に記載の燃料電池システム用空気バルブ装置。
【請求項８】
前記プレートカバーは、サブボディーとの接触の際、騒音及び衝撃を吸収するとともに空気通路との気密性を向上させるように、ラバー素材から形成されることを特徴とする、請求項７に記載の燃料電池システム用空気バルブ装置。
【請求項９】
前記メインボディー側に一端が結合され、バルブシャフト側に他端が結合されるように取り付けられたもので、前記バルブフラップが空気通路を密閉させる方向に移動するようにバルブシャフトに回転力を提供するリターンスプリングをさらに含むことを特徴とする、請求項１に記載の燃料電池システム用空気バルブ装置。
【請求項１０】
前記プレートカバーには、バルブフラップの密閉時に空気通路をなすサブボディーの隔壁と接触するカバー突起が一体に形成され、前記カバー突起は、バルブフラップが密閉された状態で、隔壁の端部を覆う形に隔壁の端部と面着し、前記カバー突起と隔壁の端部との間には、バルブフラップが密閉された状態で、気密性能の向上のためにオーバーラップ区間が存在することを特徴とする、請求項７に記載の燃料電池システム用空気バルブ装置。
【請求項１１】
前記バルブシャフトは、バルブシャフトの回転中心とサブボディーの隔壁の末端が垂直線と一致するように取り付けられ、前記バルブプレートは、バルブシャフトの回転中心から一側に偏った位置に結合されることを特徴とする、請求項１０に記載の燃料電池システム用空気バルブ装置。
【請求項１２】
バルブフラップが前記カバー突起の突出長だけバルブシャフトの回転中心から偏ることを特徴とする、請求項１０に記載の燃料電池システム用空気バルブ装置。
【請求項１３】
前記バルブフラップは、密閉状態を基準に完全開放時の夾角が鋭角を維持することを特徴とする、請求項１に記載の燃料電池システム用空気バルブ装置。
【請求項１４】
燃料電池システムの運転停止の際、バルブフラップには空気通路を閉鎖状態に維持するバルブフラップの閉鎖力及びバルブフラップを基準に内外部の圧力差による圧力が同時に作用することを特徴とする、請求項１に記載の燃料電池システム用空気バルブ装置。
【発明の詳細な説明】
【技術分野】
【０００１】
本発明は燃料電池システム用空気バルブ装置に係り、より詳しくは燃料電池システムの停止時に燃料電池スタックのカソードに連結された空気通路を完全に遮断することができる燃料電池システム用空気バルブ装置に関する。
【背景技術】
【０００２】
燃料電池システムは空気中の酸素と燃料である水素の化学的反応によって水と電気を発生させる装置で、水素燃料電池車両は燃料電池システムで発生した電気を駆動源として用いる車両である。
【０００３】
燃料電池システムには電気エネルギーを生成する燃料電池スタックが含まれて構成され、前記燃料電池スタックは、空気が供給されるカソード（ｃａｔｈｏｄｅ、空気極、酸素極、還元極）、水素が供給されるアノード（ａｎｏｄｅ、燃料極、水素極、酸化極）、カソードとアノード間の電解質膜を含む。
【０００４】
燃料電池システムが運転されているとき、外部空気はフィルター、ブロワー及び膜加湿器を通過しながら湿気を含む加湿空気になり、燃料電池スタックのカソード側には加湿された空気が供給される。
【０００５】
燃料電池スタックのアノード側に供給された水素は触媒によって水素イオン（Ｈ＋）と電子（ｅ−）に分解され、このうち水素イオンのみが電解質膜を通過してカソードに伝達されると同時に電子は導体である気体拡散層と分離板を通じてカソードに伝達される。
【０００６】
前記カソードにおいては、電解質膜を通じて供給された水素イオンと分離板を通じて伝達された電子が空気中の酸素と会って水を生成する。この際、水素イオンの移動により、外部導線を通じて電子の流れが発生することによって電気が生成される。
【０００７】
したがって、燃料電池システムが運転中であるとき、膜加湿器を通過した加湿された空気が燃料電池スタックのカソードに供給されなければならなく、燃料電池システムの運転が終われば、カソードへの加湿空気の流入が遮断されなければならない。このために、燃料電池スタックのカソード側には空気の流れを制御する空気バルブ装置が装着される。
【０００８】
前記空気バルブ装置はカソードに連結された入口側及び出口側の空気通路に取り付けられ、燃料電池システムの停止時、カソード側への加湿された空気の流入を完全に遮断する場合にだけ燃料電池スタックの耐久性を確保することができる。
【０００９】
燃料電池システムの停止時、カソードに連結された空気通路をバルブが完全に遮断させることができなければ、加湿された空気が続いてカソードに流入することによって触媒に相当するカーボン担持体の腐食が発生し、酸化が加速化され、これによって燃料電池スタックの劣化速度が高くなって耐久性が落ちる欠点がある。
【００１０】
特に、燃料電池システムの停止時、加湿された空気が続いてカソードに流入すれば、個別セルの開回路電圧が燃料電池スタックに損傷を与えることができる高電圧まで上昇する欠点があり、始動の際、上昇した個別セルの電圧を消費させるために構成された始動ＣＯＤ（Ｃａｔｈｏｄｅ Ｏｘｙｇｅｎ Ｄｅｐｌｅｔｉｏｎ）の機能を高めなければならない欠点がある。
【００１１】
また、バルブと空気通路との間の隙間を通じて異物が流入する欠点もある。
【００１２】
前記背景技術として開示した事項は本発明の背景に対する理解増進のためだけのものであり、当該技術分野で通常の知識を持った者に既に知られた従来技術にあたるものに認めてはいけないであろう。
【先行技術文献】
【特許文献】
【００１３】
【特許文献１】大韓民国特許公開第１０−２０１２−００１９７６４号公報
【発明の概要】
【発明が解決しようとする課題】
【００１４】
したがって、本発明は前述した欠点を解消するためになされたもので、燃料電池システムの停止時、燃料電池スタックのカソードに連結された空気通路を完全に遮断することができる燃料電池システム用空気バルブ装置を提供することにより、燃料電池スタックの耐久性向上を図ることにその目的がある。
【課題を解決するための手段】
【００１５】
前述した目的を達成するための本発明の燃料電池システム用空気バルブ装置は、燃料電池スタックのカソードに連結される空気通路が形成されたバルブボディー；及び前記空気通路の開閉のためにバルブボディーに回転可能に取り付けられたバルブフラップを含む燃料電池システム用空気バルブ装置であって、前記バルブボディーにおいて空気通路の外側位置にバルブシャフトが回転可能に取り付けられ、前記バルブフラップはバルブシャフトの回転中心から一側に偏った位置に結合されることを特徴とする。
【００１６】
前記バルブボディーは、バルブフラップが回転可能に取り付けられ、外形をなすメインボディー；及び前記バルブフラップの密閉時にバルブフラップと接触し、前記メインボディーに着脱可能に結合されるサブボディーを含んでなることができる。
【００１７】
前記サブボディーはメインボディーより向上した粗度を有することができる。
【００１８】
前記サブボディーはメインボディーより硬度が高いことができる。
【００１９】
前記メインボディーはアルミニウムダイキャスティングで製作され、前記サブボディーは、メインボディーより向上した粗度及び硬度の確保のために、ステンレススチールから製作されるかあるいはアルミニウムハードアノ−ダイジング（ａｎｏｄｉｚｉｎｇ）で後処理して製作されることができる。
【００２０】
前記空気通路は、入口側空気通路及び出口側空気通路を含んでなり、前記入口側空気通路及び出口側空気通路は単一バルブボディーに形成され、前記バルブフラップは入口側空気通路及び出口側空気通路をそれぞれ開閉させることができるように複数からなり、前記複数のバルブフラップは入口側空気通路及び出口側空気通路を同時に開閉させることができる。
【００２１】
前記燃料電池システム用空気バルブ装置は、前記メインボディーに取り付けられたバルブモーター；及び前記バルブモーターとバルブシャフトを連結し、バルブモーターの動力をバルブシャフトに伝達するバルブギアをさらに含むことができ、前記バルブシャフトは、メインボディーに回転可能に取り付けられることができる。
【００２２】
前記バルブフラップは空気通路の一端を覆う形に密閉させることができる。
【００２３】
前記バルブフラップは、バルブシャフトと結合されたバルブプレート；及び前記バルブプレートをカバーするプレートカバーを含んでなることができる。
【００２４】
前記プレートカバーは、サブボディーとの接触の際、騒音及び衝撃を吸収するとともに空気通路との気密性を向上させるように、ラバー素材から形成されることができる。
【００２５】
前記燃料電池システム用空気バルブ装置は、前記メインボディー側に一端が結合され、バルブシャフト側に他端が結合されるように取り付けられたもので、前記バルブフラップが空気通路を密閉させる方向に移動するようにバルブシャフトに回転力を提供するリターンスプリングをさらに含むことができる。
【００２６】
前記プレートカバーには、バルブフラップの密閉時に空気通路をなすサブボディーの隔壁と接触するカバー突起が一体に形成され、前記カバー突起は、バルブフラップが密閉された状態で、隔壁の端部を覆う形に隔壁の端部と面着し、前記カバー突起と隔壁の端部との間には、バルブフラップが密閉された状態で、気密性能の向上のためにオーバーラップ区間が存在することができる。
【００２７】
前記バルブシャフトは、バルブシャフトの回転中心とサブボディーの隔壁の末端が垂直線と一致するように取り付けられ、前記バルブプレートは、バルブシャフトの回転中心から一側に偏った位置に結合されることができる。
【００２８】
バルブフラップが前記カバー突起の突出長だけバルブシャフトの回転中心から偏ることができる。
【００２９】
前記バルブフラップは、密閉状態を基準に完全開放時の夾角が鋭角を維持することができる。
【００３０】
燃料電池システムの運転停止の際、バルブフラップには空気通路を閉鎖状態に維持するバルブフラップの閉鎖力及びバルブフラップを基準に内外部の圧力差による圧力が同時に作用することができる。
【発明の効果】
【００３１】
本発明によれば、バタフライタイプのバルブを使い、燃料電池システムの停止時に空気通路を完全に密閉させることができることになり、ソレノイドタイプのバルブ構造に比べて部品数の減縮、重量減少及びコスト節減が可能であり、燃料電池スタックのカソード側に加湿された空気の流入及び異物の流入を防止することができるので、始動ＣＯＤの機能縮小及び燃料電池システムの耐久性を大幅に向上させることができる効果がある。
【図面の簡単な説明】
【００３２】
【図１】本発明による空気バルブ装置の斜視図である。
【図２】図１の装置からバルブボディーを除去した状態を示す斜視図である。
【図３】図１のＩ−Ｉ線についての断面図である。
【図４】本発明によるリターンスプリングを説明する図である。
【図５】本発明によってバルブフラップとサブボディーのオーバーラップ構造を説明する図である。
【図６】本発明によってバルブシャフトに偏心状に結合されたバルブフラップを説明する図である。
【図７】一般的なバルブフラップの結合構造を説明する図である。
【発明を実施するための形態】
【００３３】
以下、添付図面に基づいて本発明の好適な実施例による燃料電池システム用空気バルブ装置を説明する。
【００３４】
本発明による燃料電池システム用空気バルブ装置は、図１〜図７に示したように、燃料電池スタック１のカソード１ａに連結される空気通路１１が形成されたバルブボディー１０；及び前記空気通路１１の開閉のためにバルブボディー１０に回転可能に取り付けられたバルブフラップ２０を含む。
【００３５】
本発明による空気バルブ装置はバタフライタイプのバルブ装置で、ソレノイドタイプに比べてコストが低い利点がある。
【００３６】
前記バルブボディー１０に形成された空気通路１１は、加湿された外部空気が燃料電池スタック１のカソード１ａ側に流入する入口側空気通路１１ａ及び前記カソード１ａから空気が排出される出口側空気通路１１ｂからなり、前記入口側空気通路１１ａ及び出口側空気通路１１ｂは単一バルブボディー１０に形成される。これにより、バルブ装置の数及び全体サイズの縮小を図ることができ、コスト低減を図ることができることになる。
【００３７】
前記入口側空気通路１１ａと出口側空気通路１１ｂは図１に示した状態とは反対に構成できる。
【００３８】
前記バルブフラップ２０は入口側空気通路１１ａ及び出口側空気通路１１ｂをそれぞれ開閉することができるように複数でなり、前記複数のバルブフラップ２０は入口側空気通路１１ａ及び出口側空気通路１１ｂを同時に開閉させるように構成される。
【００３９】
複数のバルブフラップ２０が入口側空気通路１１ａ及び出口側空気通路１１ｂを同時に開閉させるように構成されれば、バルブフラップ２０の駆動のための駆動源及び駆動源からバルブフラップ２０までの動力伝達機構も１セットのみ設けられれば良い。これにより、部品数の減縮、重量減少及びコスト低減を図ることができることになる。
【００４０】
入口側空気通路を開閉させるバルブフラップと出口側空気通路を開閉させるバルブフラップがそれぞれ別の駆動源、そしてそれぞれ別の動力伝達機構で個別的に開閉させる構成になれば、部品数及び重量が大きく増加し、コストが上昇し、特にバルブ装置の外形サイズが大きくなる欠点が発生する。本発明は、このような欠点を予防するために、複数のバルブフラップ２０が入口側空気通路１１ａ及び出口側空気通路１１ｂを同時に開閉させるように構成されたものである。
【００４１】
前記バルブボディー１０はバルブフラップ２０が回転可能に取り付けられるもので、バルブ装置の外形をなすメインボディー１２、及び前記バルブフラップ２０の密閉時にバルブフラップ２０と接触するサブボディー１３からなり、前記メインボディー１２とサブボディー１３は互いに着脱可能に結合された構造を持つ。
【００４２】
前記サブボディー１３はメインボディー１２より向上した粗度及び硬度を持つことを特徴とする。
【００４３】
すなわち、前記メインボディー１２は軽量化のためにアルミニウムダイキャスティングで製作され、前記サブボディー１３はメインボディー１２より向上した粗度及び硬度の確保のためにステンレススチールから製作されるかあるいはアルミニウムハードアノ−ダイジング（ａｎｏｄｉｚｉｎｇ）処理によって製作される。
【００４４】
前記サブボディー１３は空気通路１１との気密性能の向上（漏洩防止）のためにメインボディー１２より向上した粗度を持つことを特徴とする。
【００４５】
バルブフラップ２０と直接接触するサブボディー１３はバルブフラップ２０の密閉時に空気通路１１の気密性能を決定する重要な構成要素で、前記サブボディー１３をメインボディー１２と同様にアルミニウムダイキャスティングだけで製作すれば、空気通路１１の粗度管理が容易でなくて空気通路１１の気密性能が悪くなる欠点が発生する。本発明は、このような欠点を予防するために、サブボディー１３をステンレススチールで製作するかあるいはアルミニウムハードアノ−ダイジング（ａｎｏｄｉｚｉｎｇ）で後処理して製作することにより、サブボディー１３がメインボディー１２より向上した粗度を確保することができるようにしたものである。
【００４６】
また、前記サブボディー１３は、バルブフラップ２０による破損を防止することができるように、メインボディー１２より硬度が高いことを特徴とする。
【００４７】
バルブボディー１０においてバルブフラップ２０と直接接触する部位（空気通路が形成された部位）は冬季に空気に含有された湿気によって結氷が発生し、結氷が発生すれば、バルブフラップ２０との接触の際、微細な破損が発生する欠点がある。本発明は、このような欠点を予防するために、サブボディー１３をステンレススチールで製作するかあるいはアルミニウムハードアノ−ダイジング（ａｎｏｄｉｚｉｎｇ）で後処理して製作することにより、サブボディー１３がメインボディー１２より高い硬度を確保することができるようにしたものである。
【００４８】
また、本発明による空気バルブ装置は、前記メインボディー１２に取り付けられたバルブモーター３０；前記メインボディー１２に回転可能に取り付けられ、複数のバルブフラップ２０が固定結合されたバルブシャフト４０；及び前記バルブモーター３０とバルブシャフト４０を連結して、バルブモーター３０の動力をバルブシャフト４０に伝達するバルブギア５０をさらに含む。
【００４９】
前記バルブシャフト４０はメインボディー１２内に取り付けられるとともに空気の流動抵抗を無くすために空気通路１１の外に位置するように取り付けられ、前記バルブフラップ２０はバルブシャフト４０の回転時に空気通路１１の一端を完全に覆う形態のもので、空気通路１１を密閉させ、これにより空気通路１１の気密性能を向上させることができることになる。
【００５０】
前記バルブフラップ２０は、バルブシャフト４０と結合されたスチールまたはプラスチック素材のバルブプレート２１；及び前記バルブプレート２１をカバーするもので、サブボディー１３との接触の際、騒音及び衝撃を吸収し、空気通路１１との気密性を向上させるラバー素材のプレートカバー２２からなる。
【００５１】
また、本発明による空気バルブ装置は、前記メインボディー１２側に一端が結合され、バルブシャフト４０側に他端が結合されるように取り付けられたもので、前記バルブフラップ２０が空気通路１１を密閉させる方向に移動するようにバルブシャフト４０に回転力を提供するリターンスプリング６０をさらに含む。
【００５２】
本発明による空気バルブ装置はバルブモーター３０の動力でバルブシャフト４０を回転させ、バルブシャフト４０の回転時にバルブフラップ２０が回転して空気通路１１を開閉させる構造のもので、燃料電池システムの運転停止時（始動オフ時）にはバルブフラップ２０が空気通路１１を密閉させて閉鎖状態を維持しなければならないだけでなく、燃料電池システムが要求する気密性能も確保しなければならない。
【００５３】
燃料電池システムの運転が停止すれば、バルブモーター３０への電力供給が遮断されてバルブフラップ２０によって空気通路１１が密閉される。この際、バルブフラップ２０において弾性を有するラバー素材からなるプレートカバー２２が空気通路１１の形成されたサブボディー１３と接触することになり、プレートカバー２２の弾性力によってバルブフラップ２０が開放方向に作動することにより、バルブフラップ２０と空気通路１１との間には微細な隙間が発生する。したがって、本発明による実施例は、バルブフラップ２０が空気通路１１を密閉させた状況でバルブフラップ２０と空気通路１１との間に微細な隙間が発生することを防止するために、圧縮コイルスプリングからなるリターンスプリング６０を取り付けた構造のものである。
【００５４】
前記リターンスプリング６０の弾性力は、バルブフラップ２０が空気通路１１を密閉させた状況では、プレートカバー２２の反力よりは大きくなければならない。
【００５５】
そして、バルブフラップ２０が空気通路１１を開放させた状態であるとき、リターンスプリング６０の弾性力はバルブフラップ２０を密閉させる力として作用することになる。したがって、リターンスプリング６０の弾性力があまり大きければ、バルブモーター３０が空気通路１１の開放状態を維持するために消費する電力が大きくなり、これにより、空気通路１１の開放状態を持続的に維持しなければならない燃料電池システムの運転の際、バルブモーター３０の消費電力が過度に大きくなって燃費に良くない影響を及ぼすことになる。
【００５６】
したがって、前記リターンスプリング６０の弾性力はラバー素材から形成されたプレートカバー２２の弾性力とバルブモーター３０の消費電力との間で最適の値を持つように設計されなければならない。
【００５７】
燃料電池システムの運転停止時（始動オフ時）、バルブフラップ２０には空気通路１１を閉鎖状態に維持しようとするバルブフラップ２０の閉鎖力が作用するだけでなく、バルブフラップ２０を基準に内外部の圧力差による圧力が同時に作用する。これにより、本発明はバルブフラップ２０によって空気通路１１の気密性能が一層向上して漏洩流量を最小化することができることになる。
【００５８】
すなわち、燃料電池システムの運転が停止すれば、バルブフラップ２０はリターンスプリング６０の復帰力によって閉鎖状態を維持することになり、リターンスプリング６０の力が空気通路１１を閉鎖状態に維持しようとするバルブフラップ２０の閉鎖力となる。
【００５９】
また、燃料電池システムの運転が停止すれば、バルブフラップ２０を基準にサブボディー１３側の空気通路１１の圧力（バルブフラップを基準に外部の圧力、図３のＰ１位置）はスタック残存ガスと反応して大気圧より低い圧力となり、反対にバルブフラップ２０を基準にメインボディー１１側の圧力（バルブフラップを基準に内部の圧力、図３のＰ２位置）は前記サブボディー１３側の空気通路１１の圧力（Ｐ１位置の圧力）より高い圧力となる。
【００６０】
したがって、燃料電池システムの運転停止時（始動オフ時）、バルブフラップ２０にはリターンスプリング６０によるバルブフラップ２０の閉鎖力とバルブフラップ２０を基準に内外部の圧力差による圧力が同時に作用することにより、前記バルブフラップ２０による空気通路１１の気密性能が一層向上し、よって漏洩流量を最小化することができることになるものである。
【００６１】
そして、前記プレートカバー２２には、バルブフラップ２０の密閉時、空気通路１１をなすサブボディー１３の隔壁１３ａと接触するカバー突起２３が一体に形成され、前記カバー突起２３はバルブフラップ２０が密閉された状態で隔壁１３ａの端部を覆う形に隔壁１３ａの端部と面着し、前記カバー突起２３と隔壁１３ａの端部との間には、バルブフラップ２０が密閉された状態で気密性能の向上のために、オーバーラップ区間Ｍ１が存在する構造を持つ。
【００６２】
そして、前記バルブシャフト４０は、図６に示すように、バルブシャフト４０の回転中心Ｃ１とサブボディー１３の隔壁１３ａの末端が垂直線Ｌ１と一致するように、空気通路１１の外側に取り付けられ、前記バルブプレート２１はバルブシャフト４０の回転中心Ｃ１から一側に偏った位置に結合された構造になり、前記カバー突起２３の突出長Ｌ２だけバルブシャフト４０の回転中心Ｃ１からバルブフラップ２０が偏った構造になる。
【００６３】
一般に、バタフライタイプのバルブにおいては、図７に示すように、バルブプレート２１がバルブシャフト４０の回転中心Ｃ１と一致するように結合された構造が主流を占める。この場合、バルブフラップ２０が開放状態から密閉状態になるように動作するとき（矢印Ｒ１）、回転中心Ｃ１に近い位置にあるカバー突起２３（図の上側位置にあるカバー突起）からサブボディー１３の隔壁１３ａと接触することになり、回転中心Ｃ１から遠い位置にあるカバー突起２３（図の下側位置にあるカバー突起）はサブボディー１３の隔壁１３ａから離隔した状態になる。
【００６４】
したがって、空気通路１１の完全密閉のためには、サブボディー１３の隔壁１３ａから離隔した下側位置のカバー突起２３もサブボディー１３の隔壁１３ａと接触しなければならない。このためにバルブモーター３０は続いて駆動しなければならなく、上側位置のカバー突起２３と隔壁１３ａの干渉によって消費電力が大きくなり、過度な場合にはバルブモーター３０の焼損が発生することになる。
【００６５】
しかし、図６に示した本発明のように、バルブシャフト４０の回転中心Ｃ１からカバー突起２３の突出長Ｌ２だけバルブフラップ２０を偏らせてバルブシャフト４０に結合させれば、バルブフラップ２０が開放状態から密閉状態になるように動作するとき、回転中心Ｃ１に近い位置にあるカバー突起２３（図の上側位置にあるカバー突起）と遠い位置にあるカバー突起２３（図の下側位置にあるカバー突起）がほぼ同時にサブボディー１３の隔壁１３ａと接触することになる。これにより、本発明による実施例はバルブモーター３０の消費電力を減らすことができ、ひいてはバルブモーター３０の焼損を予防することができる利点がある。
【００６６】
また、本発明によれば、前記バルブフラップ２０は、密閉状態を基準に完全開放時の夾角（θ１）が鋭角を維持することが好ましい。
【００６７】
すなわち、前記バルブフラップ２０は、完全開放時に空気の流動抵抗を減らしながら空気バルブ装置の外形サイズの縮小のために、垂直線Ｌ１（バルブフラップの密閉状態）との夾角（θ１）を鋭角に維持することが好ましい。
【００６８】
以上説明したように、本発明の実施例は、バタフライタイプのバルブを使いながらも空気通路１１の完全密閉を図ることができることになるので、ソレノイドタイプのバルブ構造に比べて部品数の減縮、重量減少及びコストの節減を図ることができる利点がある。
【００６９】
また、燃料電池システムの停止時には、カソード１ａに連結された空気通路１１がバルブフラップ２０によって完全に密閉されることによって燃料電池スタックの耐久性を大きく向上させることができる。特に、燃料電池システムの停止時に個別セルの開回路電圧を低い状態に維持させることができるので、始動ＣＯＤ（Ｃａｔｈｏｄｅ Ｏｘｙｇｅｎ Ｄｅｐｌｅｔｉｏｎ）の機能縮小を図ることができる利点もある。
【００７０】
また、空気通路１１の完全密閉によって異物の流入を遮断することによって燃料電池システムの耐久性向上を図ることができる利点もある。
【００７１】
以上、本発明を特定の実施例に基づいて図示して説明したが、以下の特許請求範囲によって提供される本発明の技術的思想を離脱しない範疇内で、本発明を多様に改良及び変化させることができるのは当該分野で通常の知識を持った者に明らかであろう。
【産業上の利用可能性】
【００７２】
燃料電池システムの停止時、燃料電池スタックのカソードに連結された空気通路を完全に遮断することができる燃料電池システム用空気バルブ装置に適用可能である。
【符号の説明】
【００７３】
１    燃料電池スタック
１ａ    カソード
１０    バルブボディー
２０    バルブフラップ
３０    バルブモーター
４０    バルブシャフト
５０    バルブギア
６０    リターンスプリング
【図１】
0006795748.tif 000002
【図２】
0006795748.tif 000003
【図３】
0006795748.tif 000004
【図４】
0006795748.tif 000005
【図５】
0006795748.tif 000006
【図６】
0006795748.tif 000007
【図７】
0006795748.tif 000008